(57)【特許請求の範囲】
【請求項１】
湯水を供給するホースを挿通し、開口部の断面外形形状を真円以外の異形としたホルダーと、該ホルダーの開口部に装着されて周面にセレーションが刻設された支持部材と、前記ホースの先端に接続し、支持部材に嵌合する把手部の断面外形形状をホルダーと同一の異形としたシャワーヘッドとからなり、該シャワーヘッドは内周面に刻設したセレーションを支持部材のセレーションに嵌合することでホルダーに引出し自在に支持するようにしたシャワーヘッドの支持装置において、前記支持部材は外周面に突部を形成し、ホルダーの開口部に等間隔で複数個のリブを形成し、支持部材の回転時に突部は何れかのリブに当接して回転が規制されるように開口部に回転自在に装着したことを特徴とするシャワーヘッドの支持装置。
【発明の詳細な説明】
【０００１】
【発明の属する技術分野】
この発明は、洗面台や流し台で使用されるシャワーヘッドの支持装置に関するものである。
【０００２】
【従来の技術】
従来、洗面台や流し台に固定したホルダーにホースを挿通させ、該ホースの先端にシャワーヘッドを接続し、該シャワーヘッドをホルダーへ引出し自在に支持したものに図６及び図７のものがある。この図６及び図７について簡単に説明すると、シャワーヘッド３７を支持するホルダー３１は、洗面台や流し台の天板３０に固定されて斜め上方に傾斜させ、シャワーヘッド３７を支持する開口部３２の断面外形形状は、楕円，三角形，四角形又はその他の真円以外の異形に形成し、該開口部３２の先端よりやや内側には、下方に向けて係合孔３３を穿設している。前記開口部３２の内周面に装着される支持部材３４は略円筒形で、外周面の略中間には前記係合孔３３に隙間なく弾力的に係合して開口部３２に装着するための係合爪３５が形成され、上部先端側の外周面には雄セレーション３６を、開口部３２への装着時にホルダー３１から外部へ露出するように刻設している。
【０００３】
前記シャワーヘッド３７は手で握るための把手部３８が、前記ホルダー３１の開口部３２と同一断面外形形状で真円以外の異形であり、把手部３８の内周面には雌ねじ部３９を形成し、該雌ねじ部３９には略円筒形に形成されたブッシュ４０を外周面に形成された雄ねじ部４１により螺着し、該ブッシュ４０の内周面には、前記支持部材３４の雄セレーション３６と嵌合する雌セレーション４２が刻設されている。
【０００４】
従って、シャワーヘッド３７をホルダー３１に引出し自在に支持する場合、支持部材３４の雄セレーション３６に対しブッシュ４０の雌セレーション４２が嵌合するので、シャワーヘッド３７をホルダー３１に支持した状態での湯水の吐水方向を変更するには、シャワーヘッド３７をホルダー３１から前方へ引出した状態でシャワーヘッド３７を回転させて向きを変え、支持部材３４とブッシュ４０の両セレーション３６，４２の嵌合位置を調節し、ホルダー３１に支持するものである。
【０００５】
上記のものにあっては、ホルダーとシャワーヘッドの嵌合部分の断面外形形状が互いに真円であれば、シャワーヘッドをどの向きに回転させて支持しても、ホルダーとシャワーヘッドの外形線は互いに一致して一体感のあるものとなるが、デザインの自由度を広げ美観を向上させるため、互いの嵌合部分の外形形状を楕円，三角形，四角形又はその他の真円以外の異形とする場合、ホルダー側のセレーションとシャワーヘッド側のセレーションの各溝の位置は物品ごとにばらつきがあり、互いのセレーションを噛み合わせると、図７に示すようにホルダーとシャワーヘッドの互いの外形線が嵌合部分でうまく一致しなくなることがあり、また、一致するような微調節ができないため、ホルダーとシャワーヘッドは一体感が無くなり美観を損なうものであった。
【０００６】
【発明が解決しようとする課題】
本発明が解決しようとする課題は、ホルダーと該ホルダーに支持するシャワーヘッドの断面外形形状が真円以外の異形であり、シャワーヘッドをホルダーにセレーションの嵌合により支持するシャワーヘッドの支持構造において、シャワーヘッドをホルダーに支持した場合の外形線が一致するような微調節を可能とし、美観を保つものである。
【０００７】
【課題を解決するための手段】
本発明は請求項１では、湯水を供給するホースを挿通し、開口部の断面外形形状を真円以外の異形としたホルダーと、該ホルダーの開口部に装着されて周面にセレーションが刻設された支持部材と、前記ホースの先端に接続し、支持部材に嵌合する把手部の断面外形形状をホルダーと同一の異形としたシャワーヘッドとからなり、該シャワーヘッドは内周面に刻設したセレーションを支持部材のセレーションに嵌合することでホルダーに引出し自在に支持するようにしたシャワーヘッドの支持装置において、前記支持部材は外周面に突部を形成し、ホルダーの開口部に等間隔で複数個のリブを形成し、支持部材の回転時に突部は何れかのリブに当接して回転が規制されるように開口部に回転自在に装着したものである。
【０００８】
【発明の実施の形態】
以下、本発明の実施の形態を図に基づいて詳細に説明する。
この発明は図１及び図２に示すように、シャワーヘッド２１を着脱自在に支持するためのホルダー４は、湾曲した筒状で流し台や洗面台の天板１に取付けられ、内部にホース１０を引出し自在に挿通しており、このホルダー４は下部に形成した筒体部５を前記天板１に穿設した取付孔２に挿通して、天板１の下側からナット３を筒体部５の外周に螺着することで固定されている。
【０００９】
前記ホルダー４は、ホース１０の先端に結合したシャワーヘッド２１が支持される開口部６を斜め上方に傾斜させ、該開口部６の断面外形形状は楕円，三角形，四角形又はその他の真円以外の異形であり、本実施例の場合は図３に示すように上部を平面状にした略半円形状であり、開口部６の内周面には、先端からやや内側の下部に係合孔７が穿設されており、該係合孔７の周面には、内周面から開口部６の中心軸に向けて突出したリブ８を所定間隔毎に複数個形成し、該リブ８の奥側には環状のストッパー９が形成されている。
【００１０】
前記ホルダー４の開口部６に装着される支持部材１１は、合成樹脂等の弾性材を一体成型したもので、図２に示すように前後に貫通した通し孔１２に前記ホース１０が挿通し、開口部６への装着時に前記ストッパー９に当接する当接面１４が形成された大径部１３と、前記係合孔７に弾力的に係合する突起１６が左右両側に切り欠いた各割溝１７，１７の間で外周方向に突出して形成された小径部１５と、外周面に刻設される複数個の雄セレーション２０を周方向に沿って等間隔に配置した嵌合部１９とを備えた略円筒形である。前記小径部１５の外周面には一対の突部１８，１８を互いに向かい合わせて形成し、前記突起１６は開口部６の係合孔７よりも左右の横幅がやや短く、該係合孔７に弾力的に係合することで支持部材１１は開口部６に装着され、この時図４に示すように開口部６内で支持部材１１は、各リブ８の内周側先端が外周面に当接してがたつくことがないように保持され、開口部６内で支持部材１１が回転すると、一対の突部１８，１８のうち一方の突部１８がいずれかのリブ８に当接して回転が規制され、一定の範囲でのみ回転可能となるように設定している。
【００１１】
前記シャワーヘッド２１は先端に湯水の流路を直流と散水流に切替可能とする吐水ボタン２２を備え、手で握るための把手部２３の断面外形形状が、前記ホルダー４の開口部６の断面外形形状と同一の略半円形状であり、シャワーヘッド２１をホルダー４に支持すると、シャワーヘッド２１とホルダー４は嵌合部で外形線が同一となるものである。シャワーヘッド２１はホルダー４の開口部６と向かい合う挿孔２４の内周面に雌ねじ部２５を形成し、該雌ねじ部２５には円筒形のブッシュ２６が螺着される。該ブッシュ２６は外周面に前記雌ねじ部２５に螺着する雄ねじ部２７が形成され、内周面に前記支持部材１１の雄セレーション２０に嵌合する雌セレーション２８が刻設されている。
【００１２】
前記支持部材１１をホルダー４の開口部６に装着する方法を説明すると、図３に示す支持部材１１は小径部１５の突起１６が下方に位置するようにした状態で、ホルダー４の開口部６に挿入する。この場合、支持部材１１の突起１６と開口部６の係合孔７とが同一直線上となるように位置を合わせて挿入すれば、突起１６は撓んだ状態で係合孔７に弾力的に係合して、支持部材１１は開口部６から軸方向へ移動して離脱することがないように定位置で装着することができる。
【００１３】
シャワーヘッド２１をホルダー４に支持する場合に、シャワーヘッド２１に螺着したブッシュ２６の内周面に刻設された雌セレーション２８を支持部材１１の雄セレーション２０に嵌合させて、シャワーヘッド２１をホルダー４に支持すると、嵌合部で互いの外形線が一致せず、シャワーヘッド２１とホルダー４に一体感がなく見栄えが悪くなってしまう場合がある。この時、支持部材１１の突起１６より開口部６の係合孔７は幅広であるので、支持部材１１の突部１８がリブ８に当接するまでの僅かの範囲内で、支持部材１１は回転可能であり、シャワーヘッド２１とホルダー４の外形線が一致するように、支持部材１１の位置を調節することができる。
【００１４】
従ってシャワーヘッド２１をホルダー４に支持した際に、互いの嵌合部で外形線が一致しない場合は、ホルダー４とシャワーヘッド２１を互いのセレーション２０，２８が嵌合した状態でシャワーヘッド２１を少しだけ回転させれば、支持部材１１もシャワーヘッド２１と共に回転し、互いの外形線が一致するように調節することができる。
【００１５】
なお、本実施例ではシャワーヘッドの把手部にブッシュを螺着し、該ブッシュの内周面に雌セレーションを刻設しているが、シャワーヘッドの把手部に直接雌セレーションを刻設してもよい。また、支持部材に雌セレーションを刻設し、シャワーヘッドに雄セレーションを刻設してもよい。
【００１６】
【発明の効果】
本発明では請求項１では、湯水を供給するホースを挿通し、開口部の断面外形形状を真円以外の異形としたホルダーと、該ホルダーの開口部に装着されて周面にセレーションが刻設された支持部材と、前記ホースの先端に接続し、支持部材に嵌合する把手部の断面外形形状をホルダーと同一の異形としたシャワーヘッドとからなり、該シャワーヘッドは内周面に刻設したセレーションを支持部材のセレーションに嵌合することでホルダーに引出し自在に支持するようにしたシャワーヘッドの支持装置において、前記支持部材は外周面に突部を形成し、ホルダーの開口部に等間隔で複数個のリブを形成し、支持部材の回転時に突部は何れかのリブに当接して回転が規制されるように開口部に回転自在に装着したので、シャワーヘッドをホルダーに支持した際にホルダーとシャワーヘッドの外形線が一致しない場合は、支持部材をシャワーヘッドと共に回転させて微調節をすれば外形線を一致させることができ、ホルダーとシャワーヘッドに統一感を持たせ、美観を保つことができる。
【００１７】
また、前記支持部材は外周面に突部を形成し、ホルダーの開口部に等間隔で複数個のリブを形成し、支持部材の回転時に突部は何れかのリブに当接して、回転角度が所定の範囲内に規制されるので、支持部材は不用意に回転することはない。
【図面の簡単な説明】
【図１】  本発明一実施例によるシャワーヘッドをホルダーに支持した状態の部分側断面図である。
【図２】  図１の分解説明図である。
【図３】  図２のホルダーを一部破断した説明図である。
【図４】  ホルダーとシャワーヘッドの嵌合部の説明図である。
【図５】  シャワーヘッドをホルダーから引出した状態の平面図である。
【図６】  従来技術の説明図である。
【図７】  図６において、シャワーヘッドをホルダーに支持した状態の説明図である。
【符号の説明】
４                    ホルダー
６                    開口部
７                    係合孔
８                    リブ
１０                  ホース
１１                  支持部材
１６                  突起
１８                  突部
２０                  雄セレーション
２１                  シャワーヘッド
２３                  把手部
２８                  雌セレーション
【図１】
0003746208.tif 000002
【図２】
0003746208.tif 000003
【図３】
0003746208.tif 000004
【図４】
0003746208.tif 000005
【図５】
0003746208.tif 000006
【図６】
0003746208.tif 000007
【図７】
0003746208.tif 000008